(57)【特許請求の範囲】
【請求項１】
互いに異なる識別因子を有する出力光を各々射出する複数の光源装置と、
前記出力光を受光し、該出力光の各波長に応じた受光信号を出力する光検出器と、
前記受光信号を取得し、該受光信号に含まれる前記識別因子に由来する成分と前記受光信号とに基づいて、複数の前記光源装置の故障を検出する故障検出部と、
を具備し、
前記識別因子は、波長、及び検出期間における時間と光強度との関係であり、
前記受光信号は、前記各波長についての前記出力光の強度を表す波長別強度信号を含み、
前記故障検出部は、検出期間における前記波長別強度信号に基づいて、前記波長別強度信号を前記成分として複数の前記光源装置の各々から射出された前記出力光の状態を導出し、複数の前記光源装置の各々の故障の有無を特定する、
ことを特徴する光源システム。
【請求項２】
前記複数の光源装置の各々は、
励起光を射出する励起光源と、
前記励起光を励起光と異なる波長に変換した波長変換光を射出する波長変換部材と、
を有し、少なくとも一部の前記励起光と前記波長変換光とを前記出力光として出力し、
前記光検出器は、前記出力光を受光し、該出力光に含まれる励起光と波長変換光の各波長領域の光強度に応じた前記各波長領域の受光信号を出力し、
前記識別因子の前記波長は、前記励起光及び／又は前記波長変換光の波長であり、
前記故障検出部は、複数の前記光源装置の励起光源と波長変換部材との故障の有無を特定する、
ことを特徴とする請求項１に記載の光源システム。
【請求項３】
前記光検出器は、全ての前記光源装置について射出された前記出力光のうちそれぞれ少なくとも一部を受光することを特徴とする請求項１又は２に記載の光源システム。
【請求項４】
前記光検出器の個数は、前記光源装置の個数よりも少ないことを特徴とする請求項１乃至３のうち何れか１項に記載の光源システム。
【請求項５】
光ファイバに挿入された分岐カプラと、
前記波長変換部材から射出された前記波長変換光の一部であって、前記光ファイバによって導かれ、前記分岐カプラで分岐された該波長変換光の一部を、前記光検出器に導く検出用光ファイバと、
をさらに備え、
複数の前記光源装置から射出された前記波長変換光の一部は、前記検出用光ファイバによって全て一つの前記光検出器に導かれることを特徴とする請求項２に記載の光源システム。
【請求項６】
複数の前記光源装置は、前記検出期間において、各々前記検出期間における時間に応じて前記出力光の射出と非射出とを切り替えることを特徴とする請求項１に記載の光源システム。
【請求項７】
複数の前記光源装置は、前記検出期間において、各々前記検出期間における時間に応じて前記出力光の前記光強度を変化させることを特徴とする請求項１に記載の光源システム。
【請求項８】
複数の前記光源装置のうち一の該光源装置の前記出力光の前記光強度を前記検出期間における時間に応じて変化させることを、前記検出期間において順次全ての該光源装置について行うことを特徴とする請求項１に記載の光源システム。
【請求項９】
前記検出期間は、前記光源装置の前記出力光の射出開始時に設けられることを特徴とする請求項１乃至８のうち何れか１項に記載の光源システム。
【請求項１０】
前記検出期間は、前記光源装置の前記出力光の射出中に定期的に設けられることを特徴とする請求項１乃至８のうち何れか１項に記載の光源システム。
【請求項１１】
前記故障検出部は、前記光源装置の前記出力光の射出中に、前記受光信号に基づいて複数の前記光源装置のうち何れかに故障があるか否かを判定し、
前記検出期間は、前記故障検出部が前記光源装置のうち何れかに故障があると特定した際に設けられる、
ことを特徴とする請求項１乃至８のうち何れか１項に記載の光源システム。
【請求項１２】
前記故障検出部が、複数の前記光源装置の何れかに故障があることを特定したら、
前記故障がある前記光源装置は、前記出力光の出力を停止又は低下させ、
前記故障がない前記光源装置は、前記出力光の射出を継続する、
ように各前記光源装置を制御する光源制御部をさらに具備する、
ことを特徴とする請求項１乃至１１のうち何れか１項に記載の光源システム。
【請求項１３】
前記故障検出部は、前記波長毎の前記波長別強度信号を比較することで、複数の前記光源装置の各々の故障の有無を特定することを特徴とする請求項１２に記載の光源システム。
【請求項１４】
前記光源装置の前記出力光の出射口に着脱可能な保持部材をさらに具備し、
前記光検出器は、前記保持部材に保持されている、
ことを特徴とする請求項１乃至４のうち何れか１項に記載の光源システム。
【請求項１５】
請求項１乃至１４のうち何れか１項に記載の光源システムと、
撮像装置と、を具備した撮像システムにおいて、
前記光検出器は前記撮像装置の撮像素子であることを特徴とする撮像システム。
【請求項１６】
前記検出期間は、前記撮像装置の露光期間以外に設けられることを特徴とする請求項１５に記載の撮像システム。
【発明の詳細な説明】
【技術分野】
【０００１】
本発明は、光源システム及び撮像システムに関する。
【背景技術】
【０００２】
一般に、光源システムにおいて、システムの異常を検知する様々な機構が知られている。例えば特許文献１には、以下のような技術が開示されている。この光源システムは、パッケージの内部に半導体発光素子を備える光源と、光源から射出された光を集光させるレンズと、集光された光を導光部材に導入するためのコネクタと、コネクタに接続された導光部材と、導光部材の他端に配置され、導かれた光を射出する光部品と、を備えている。さらに、光源からの光を集光させるレンズとコネクタとの間には、光分岐部材が配置されている。さらに、光部品で反射した戻り光であって、光分岐部材によって分岐された光を検出する検知部材としての受光素子が配置されている。この光源システムは、受光素子が検知する光の強度に基づいて、導光部材の断線を検知する。
【先行技術文献】
【特許文献】
【０００３】
【特許文献１】特開２００８−０２６６９８号公報
【発明の概要】
【発明が解決しようとする課題】
【０００４】
例えば上記のような光源システムにおいて、射出光量を多くしたい場合や、射出（照射）範囲を広くした場合には、例えば光源から射出口までを含む光源装置の構成を２組以上同時に使用することが考えられる。このような２組以上の光源装置を有する光源システムにおいて、各光源装置の異常を検知するための機構をそれぞれ設けると、システム全体の構成が大型化する。
【０００５】
そこで本発明では、２組以上の光源装置を有する光源システム及び撮像システムであって、大型化せず、かつ２組以上の光源装置の各々について異常の有無を特定できる光源システム及び撮像システムを提供することを目的とする。
【課題を解決するための手段】
【０００６】
前記目的を果たすため、本発明の光源システムの一態様は、互いに異なる識別因子を有する出力光を各々射出する複数の光源装置と、前記出力光を受光し、該出力光の各波長に応じた受光信号を出力する光検出器と、前記受光信号を取得し、該受光信号に含まれる前記識別因子に由来する成分と前記受光信号とに基づいて、複数の前記光源装置の故障を検出する故障検出部と、を具備し、前記識別因子は、波長、及び検出期間における時間と光強度との関係であり、前記受光信号は、前記各波長についての前記出力光の強度を表す波長別強度信号を含み、前記故障検出部は、検出期間における前記波長別強度信号に基づいて、前記波長別強度信号を前記成分として複数の前記光源装置の各々から射出された前記出力光の状態を導出し、複数の前記光源装置の各々の故障の有無を特定することを特徴する。
また、前記目的を果たすため、本発明の撮像システムの一態様は、前記光源システムと、撮像装置と、を具備した撮像システムにおいて、前記光検出器は前記撮像装置の撮像素子であることを特徴とする。
【発明の効果】
【０００７】
本発明によれば、識別因子に基づいて複数の光源装置の各々について異常の有無を特定できるので、２組以上の光源装置を有する光源システム及び撮像システムであって、大型化せず、かつ２組以上の光源装置の各々について異常の有無を特定できる光源システム及び撮像システムを提供できる。
【図面の簡単な説明】
【０００８】
【図１】本発明の第１の実施形態に係る光源システムの構成例を示すブロック図。
【図２】第１の実施形態に係る光源システムの各部の配置例を示す図。
【図３】第１の実施形態に係る光源システムの各部の別の配置例を示す図。
【図４】第１の実施形態に係る光源システムの各部の別の配置例を示す図。
【図５】第１の実施形態に係る光源システムの各部の別の配置例を示す図。
【図６】第１の実施形態に係る光源システムの動作の一例を示すタイミングチャート。
【図７】第１の実施形態の第１の変形例に係る光源システムの動作の一例を示すタイミングチャート。
【図８】第１の実施形態の第２の変形例に係る光源システムの動作の一例を示すタイミングチャート。
【図９】第１の実施形態の第３の変形例に係る光源システムの動作の一例を示すタイミングチャート。
【図１０】本発明の第２の実施形態に係る光源システムの構成例を示すブロック図。
【図１１】第２の実施形態に係る光源システムの動作の一例を示すタイミングチャート。
【図１２】第２の実施形態の第１の変形例に係る光源システムの構成例を示すブロック図。
【図１３】第２の実施形態の第２の変形例に係る光源システムの構成例を示すブロック図。
【図１４】本発明の第３の実施形態に係る光源システムの構成例を示すブロック図。
【発明を実施するための形態】
【０００９】
［第１の実施形態］
本発明の第１の実施形態について図面を参照して説明する。本実施形態に係る光源システムの構成の概略を図１に示す。光源システムは、光源制御部１１と、故障検出部１２と、第１の光源装置１３と、第２の光源装置１４と、光量検出器１５と、警告器１６とを有する。
【００１０】
光源制御部１１は、本光源システム全体を制御する。例えば光源制御部１１は、後に詳述する第１の光源装置１３及び第２の光源装置１４の動作を制御し、第１の光源装置１３及び第２の光源装置１４の光の射出のタイミングや射出する光の強度等を調整する。また、光源制御部１１は、故障検出部１２から入力する第１の光源装置１３及び第２の光源装置１４の状態に応じて、第１の光源装置１３及び第２の光源装置１４の動作を制御する。
【００１１】
第１の光源装置１３及び第２の光源装置１４は、それぞれ光源制御部１１の制御の下、光を射出する。光量検出器１５は、第１の光源装置１３の出力光と、第２の光源装置１４の出力光とが共に入射する場所に配置されている。光量検出器１５は、第１の光源装置１３の出力光と第２の光源装置１４の出力光とを受光し、その光量に応じた受光信号を、故障検出部１２に出力する。
【００１２】
故障検出部１２は、光量検出器１５からの受光信号を取得する。また、故障検出部１２は、光源制御部１１から、第１の光源装置１３及び第２の光源装置１４から光の射出のタイミングや光量等を表す信号を取得する。故障検出部１２は、取得したこれら信号に基づいて、第１の光源装置１３及び第２の光源装置１４について故障の有無等の状態を特定する。故障検出部１２は、特定した第１の光源装置１３及び第２の光源装置１４の状態を、光源制御部１１に出力する。また、故障検出部１２は、第１の光源装置１３又は第２の光源装置１４に異常があることを検出したら、警告器１６に警告を出させる。
【００１３】
警告器１６は、故障検出部１２の指示の下、第１の光源装置１３又は第２の光源装置１４に異常が検知された際に警告を出す。警告器１６は、例えばスピーカであり、音を発するように構成されてもよい。また、警告器１６は、例えばＬＥＤであり、点灯により異常がある旨を表示してもよい。また、警告器１６は、本光源装置に接続された表示装置に担わせるように構成してもよい。
【００１４】
このように、例えば第１の光源装置１３及び第２の光源装置１４は、出力光を各々射出する複数の光源装置として機能し、例えば光量検出器１５は、出力光を受光し、該出力光に応じた受光信号を出力する光検出器として機能し、例えば故障検出部１２は、受光信号を取得し、該受光信号に含まれる識別因子に由来する成分と該受光信号とに基づいて、複数の光源装置の各々の故障の有無を特定する故障検出部として機能する。また、本実施形態では、光源装置は、第１の光源装置１３及び第２の光源装置１４の２個であるのに対して、光量検出器１５は１個であり、光量検出器１５の個数は、光源装置の個数よりも少ない。
【００１５】
ここで、第１の光源装置１３、第２の光源装置１４、及び光量検出器１５の配置例について説明する。例えば図２に示すように、光量検出器１５は、第１の光源装置１３及び第２の光源装置１４から射出された光が直接入射するような位置に、保持部２１によって固定される。図２においては、光量検出器１５は、第１の光源装置１３及び第２の光源装置１４の光の射出方向正面に配置されているが、第１の光源装置１３及び第２の光源装置１４から射出された光が直接入射するような位置であれば、偏った位置に配置されてもよい。また図２において、保持部２１は、第１の光源装置１３及び第２の光源装置１４を固定する部材と一体となって描かれているが、光量検出器１５を適切な位置に保持できればこれに限らない。
【００１６】
また、例えば図３に示すように、第１の光源装置１３及び第２の光源装置１４から射出された光が直接入射するような位置に、保持部２１に固定されたミラー２２を配置し、ミラー２２で反射した光を受光するように光量検出器１５を配置してもよい。
【００１７】
また、例えば図４に示すように、第１の光源装置１３及び第２の光源装置１４が配置されている部分に対して着脱自在なカバー状の保持部材２３に光量検出器１５を配置してもよい。この場合、保持部材２３は、本光源システムの使用前に、第１の光源装置１３及び第２の光源装置１４が配置されている部分を覆うように設置され、その状態で第１の光源装置１３及び第２の光源装置１４の異常の有無を確認する。その後、保持部材２３を第１の光源装置１３及び第２の光源装置１４が配置されている部分から外して、本光源システムを使用する。光量検出器１５は、カバー状の保持部材２３の内部であり、第１の光源装置１３及び第２の光源装置１４から射出された光が直接入射するような位置に配置されている。このような構成により、使用前に安全に以上の有無を点検することができる。
【００１８】
また、例えば図５に示すように、本光源システムは、第１の光源装置１３及び第２の光源装置１４から射出された光を調整する、例えばレンズなどの光学部材２４を備えている。光量検出器１５は、光学部材２４の表面で反射された光を受光できるような位置に配置されてもよい。この場合、光学部材２４は、第１の光源装置１３及び第２の光源装置１４から射出された光を適度に反射するように加工されていることが好ましい。
【００１９】
次に、本実施形態に係る光源システムの動作を説明する。光源制御部１１は、第１の光源装置１３及び第２の光源装置１４の点灯又は消灯を制御する。本実施形態では、故障した光源装置を特定する期間、すなわち、第１の光源装置１３及び第２の光源装置１４のうち何れかに故障があるか否かを特定するための期間として、検出期間が設けられている。本実施形態では、この検出期間は、本光源システムの電源投入後、光源としての使用の前に、すなわち、第１の光源装置１３及び第２の光源装置１４の光の射出開始時に設けられている。
【００２０】
本光源システムの動作例のタイミングチャートを図６に示す。この図において、上段は、第１の光源装置１３の出力を示し、中段は、第２の光源装置１４の出力を示し、下段は、光量検出器１５の出力を示す。この図に示すように、検出期間において、第１の光源装置１３及び第２の光源装置１４は、それぞれ単独で点灯するように制御されている。すなわち、図２に示す例では、検出期間の前半（（ｉ）で示した期間）においては、第１の光源装置１３のみが点灯して第２の光源装置１４は消灯し、検出期間の後半（（ｉｉ）で示した期間）においては、逆に第２の光源装置１４のみが点灯して第１の光源装置１３は消灯する。
【００２１】
この検出期間において、光量検出器１５は、第１の光源装置１３及び第２の光源装置１４が射出する光を検出し、光量に応じた出力値を、故障検出部１２に出力する。また、光源制御部１１は、第１の光源装置１３及び第２の光源装置１４の発光タイミングや射出させた光量等に関する信号を、故障検出部１２に出力する。故障検出部１２は、光量検出器１５から入力した光量に応じた値、及び光源制御部１１から入力した信号に基づいて、第１の光源装置１３及び第２の光源装置１４に故障があるか否かを特定する。
【００２２】
ここで、検出期間において第１の光源装置１３が発光する時間と第２の光源装置１４が発光する時間とが区切られている。したがって、光量検出器１５は１つであるが、故障検出部１２は、光源制御部１１から入力した情報を利用して、光量検出器１５の出力について、第１の光源装置１３から射出された光に由来する信号と、第２の光源装置１４から射出された光に由来する信号とを分離することができる。  
なお、検出期間は、光量検出器１５が安定して光量を検出できるような長さにするとよい。また、例えば光量検出器１５の出力を積分して用いる場合、検出期間は、必要なＳＮ比が得られる積分時間を確保できる長さにすればよい。
【００２３】
より具体的に説明する。図６に示すように、第１の光源装置１３が点灯している期間（（ｉ）で示した期間）において、光量検出器１５は、第１の光源装置１３から射出された光を検出し、その光量に応じた値を故障検出部１２に出力する。同様に、第２の光源装置１４が点灯している期間（（ｉｉ）で示した期間）において、光量検出器１５は、第２の光源装置１４から射出された光を検出し、その光量に応じた値を故障検出部１２に出力する。第１の光源装置１３及び第２の光源装置１４が共に正常に動作している場合、故障検出部１２は、検出期間の前半（（ｉ）で示した期間）においても、検出期間の後半（（ｉｉ）で示した期間）においても、ともに光量検出器１５から点灯を表す信号を入力するので、第１の光源装置１３及び第２の光源装置１４が共に正常に動作していることを特定できる。正常に動作していることが特定された場合には、図６に示すように、第１の光源装置１３と第２の光源装置１４とを両方とも点灯して通常の光源としての動作を開始する。
【００２４】
一方、例えば第１の光源装置１３が正常に機能しておらず、第１の光源装置１３から射出される光が弱い場合、第１の光源装置１３が点灯している期間（図６において（ｉ）で示した期間）において、光量検出器１５の出力は低下する。このような信号を入力した故障検出部１２は、第１の光源装置１３が故障していることを特定できる。逆に、例えば第２の光源装置１４が正常に機能しておらず、第２の光源装置１４から射出される光が弱い場合、第２の光源装置１４が点灯している期間（図６において（ｉｉ）で示した期間）において、光量検出器１５の出力は低下する。このような信号を入力した故障検出部１２は、第２の光源装置１４が故障していることを特定できる。
【００２５】
例えば第１の光源装置１３に故障があるとき、故障検出部１２は、第１の光源装置１３が故障している旨を、光源制御部１１に出力する。例えば第１の光源装置１３が故障している旨を入力した光源制御部１１は、第１の光源装置１３を消灯し、第２の光源装置１４を点灯状態とする。第１の光源装置１３を完全に消灯しなくとも、安全なレベルまで減光するように動作させてもよい。例えば第２の光源装置１４に故障があるときは、逆に光源制御部１１は、第２の光源装置１４を消灯し、第１の光源装置１３を点灯状態とする。
【００２６】
なお、上記説明では、光源装置は、第１の光源装置１３及び第２の光源装置１４の２つであるとして説明したが、光源装置が３つ以上の場合も同様に構成することができる。すなわち、光源装置の数に応じて、検出期間を分割し、それら光源装置を順次点灯させ、その光量を光量検出器１５で検出するようにすればよい。
【００２７】
また、上記説明では、検出期間のうち特定の期間において、第１の光源装置１３及び第２の光源装置１４のうち一方を完全に消灯するとして説明したが、出力を低下させるようにしてもよい。この場合、故障検出部１２は、出力の低下量を考慮して故障の有無を特定するように構成する。
【００２８】
以上のように動作する本実施形態に係る光源システムによれば、２つ以上の光源装置を有するシステムにおいて、異常の有無を検知する機構を大型化することなく、１つの光量検出器１５によって、各光源装置の故障の有無を特定することができる。したがって、一部の光源装置が故障した場合に、故障した光源装置のみを停止し、その他の光源装置を引き続き動作させることができる。その結果、何れかの光源装置に故障が生じても、故障がない光源装置によって、照明光の出力を維持することができる。
【００２９】
なお、本実施形態の説明では、異常がある光源装置は、光量が低下するとしたが、異常によって光量が上昇するときも、故障検出部１２は、同様に異常を検出できる。  
また、本実施形態では、光量検出器１５は、常に受光量を表す受光信号を出力し続けているとしたが、検出期間のみ受光信号を出力するように構成してもよい。この場合、光量検出器１５は、故障検出部１２によって制御される。
【００３０】
［第１の実施形態の第１の変形例］
第１の実施形態の第１の変形例について説明する。ここでは、第１の実施形態との相違点について説明し、同一の部分については、同一の符号を付してその説明を省略する。第１の実施形態では、光源システムの使用の前に検出期間を設けている。これに対して本変形例では、検出期間を光源システムの使用中に周期的に設けている。
【００３１】
本変形例に係る光源システムの動作のタイミングチャートを、図７に示す。この図に示すように、光量検出器１５が受光信号を出力する検出期間は、第１の光源装置１３及び第２の光源装置１４がともに光を射出している通常の動作の間に挿入されている。言い換えると、検出期間と検出期間との間においては、第１の光源装置１３及び第２の光源装置１４は、ともに光を射出する通常の動作を行っている。
【００３２】
検出期間では、光源制御部１１は、第１の実施形態の場合の検出期間と同様に、第１の光源装置１３及び第２の光源装置１４を順次点灯させる。図７において、第１の光源装置１３が点灯する期間は（ｉ）で示され、第２の光源装置１４が点灯する期間は（ｉｉ）で示されている。光量検出器１５は、光を検出し、その光量を表す信号を故障検出部１２に出力する。故障検出部１２は、図７において（ｉ）で示された第１の光源装置１３が点灯している期間の光量検出器１５の出力と、図７において（ｉｉ）で示された第２の光源装置１４が点灯している期間の光量検出器１５の出力とに基づいて、第１の光源装置１３及び第２の光源装置１４の正常又は異常を第１の実施形態の場合と同様に特定する。故障検出部１２は、第１の光源装置１３及び第２の光源装置１４の異常の有無を、光源制御部１１に出力する。
【００３３】
第１の実施形態の場合と同様に、光源装置の数は、２つに限らず、３つ以上でもよい。光源装置の数が３つ以上の場合、検出期間中に各光源装置は、順次点灯すればよい。また、光量検出器１５は、常に受光量を表す受光信号を出力し続けてもよいし、検出期間のみ受光信号を出力するように構成してもよい。何れの場合も故障検出部１２は、検出期間において受光信号を用いた処理を行う。
【００３４】
本光源システムを撮像装置と組み合わせて、本光源システムを撮影対象の照明のために用いる場合などは、前記の検出期間を、当該撮像装置のイメージャの読み出し期間や帰線期間等、当該撮像装置の露光期間以外の期間に設けるとよい。このようにすることで、撮像装置による画像撮影に影響を与えることがない。本変形例によれば、光源装置の異常の有無を定期的に検査することができる。
【００３５】
光源装置をパルス幅変調（Ｐｕｌｓｅ  Ｗｉｄｔｈ  Ｍｏｄｕｌａｔｉｏｎ；ＰＷＭ）によって制御する場合は、パルス変調の変調周期と検出期間の挿入周期を等しくすればよく、同様の効果が得られる。
【００３６】
［第１の実施形態の第２の変形例］
第１の実施形態の第２の変形例について説明する。ここでは、第１の実施形態との相違点について説明する。本変形例では、光源システムの使用中に、第１の光源装置１３及び第２の光源装置１４の出力の総光量を検出し、故障検出部１２は、その総光量の変化によって故障の発生を検知する。故障の発生が検知されたら、第１の実施形態と同様に検出期間を設ける。
【００３７】
本変形例に係る光源システムの動作のタイミングチャートを、図８に示す。光量検出器１５は、図８において使用期間と記した本光源システムの使用中の期間に、第１の光源装置１３及び第２の光源装置１４から射出される光を受光し、その強度を故障検出部１２に出力する。ここでは、故障検出部１２は、第１の光源装置１３の出力と第２の光源装置１４の出力とを区別せず、両出力の合計について光量検出器１５が出力した受光信号を取得している。
【００３８】
故障検出部１２は、使用期間において、光量検出器１５からの信号に基づいて、光強度が許容範囲を超えて変化することを検知したら、検出期間に移行させる。なお、図８においては、この許容範囲の下限値を一点鎖線で示した。すなわち、光量検出器１５による検出値が許容範囲から外れる場合、第１の光源装置１３又は第２の光源装置１４に異常が発生している可能性がある。しかしながら、第１の光源装置１３及び第２の光源装置１４のうち何れに異常があるのかは、第１の光源装置１３の出力と第２の光源装置１４の出力との合計を検出している使用期間では特定できない。そこで、第１の光源装置１３及び第２の光源装置１４のうち何れに異常があるのかを、検出期間において特定する。
【００３９】
故障検出部１２は、使用期間において、光強度が許容範囲を超えて変化していることを検出したら、その旨及び検出期間に移行する旨を光源制御部１１に出力する。検出期間において、光源制御部１１は、第１の実施形態の場合と同様に、所定の期間では第１の光源装置１３のみを点灯させ、その他の期間では第２の光源装置１４のみを点灯させる。第１の実施形態の場合と同様に、故障検出部１２は、光源制御部１１から取得した第１の光源装置１３及び第２の光源装置１４の発光タイミングと、光量検出器１５から取得した受光信号に含まれる光強度との関係に基づいて、第１の光源装置１３及び第２の光源装置１４のうち何れに異常があるのかを特定する。図８に示す例では、故障検出部１２は、第２の光源装置１４に係る光量検出器１５の出力が小さいことに基づいて、第２の光源装置１４に異常があることを特定する。
【００４０】
故障検出部１２は、検出期間において特定した異常がある光源装置を、光源制御部１１に伝達する。光源制御部１１は、異常がある光源装置の出力を停止、又は安全な程度まで低下させる。図８に示す例では、故障検出部１２によって第２の光源装置１４に異常があることが特定されているので、光源制御部１１は、検出期間後において第２の光源装置１４の出力を停止している。
【００４１】
本変形例によれば、使用期間においては、第１の光源装置１３及び第２の光源装置１４を常時点灯することができる。すなわち、点灯デューティー比１００％の点灯が可能である。したがって、本変形例はより高い光量が必要なときに有効である。
【００４２】
使用期間における故障の検出は、本変形例のように検出期間で用いる光量検出器１５を用いても良いが、他の手段で故障を検出しても良い。例えば、本光源システムを映像取得システムと併用する場合、映像取得システムのカラーイメージセンサにより取得した画像に基づいて、光量の減少を検出するようにしてもよい。
【００４３】
［第１の実施形態の第３の変形例］
第１の実施形態の第３の変形例について説明する。ここでは、第１の実施形態との相違点について説明する。本変形例は、光源装置が３つ以上の場合に係る動作例である。  
本変形例に係る光源システムの動作のタイミングチャートを図９に示す。図９に示す例では、光源システムは、３つの光源装置を有している。ここでは、これら光源を第１の光源装置、第２の光源装置、及び第３の光源装置と称し、第２の光源装置に故障があるものとして説明する。
【００４４】
本変形例では、第１の実施形態の第２の変形例と同様に、当該光源システムを使用中に、検出期間を設けている。検出期間において、光源制御部１１は、第１乃至第３の光源装置のうち、１つの光源装置を順次消灯する。すなわち、図９に示す例では、光源制御部１１は、検出期間中の（ｉ）と記した期間においては、第１の光源装置を消灯し、第２及び第３の光源装置を点灯する。同様に、検出期間中の（ｉｉ）と記した期間においては、光源制御部１１は、第２の光源装置を消灯し、第１及び第３の光源装置を点灯する。検出期間中の（ｉｉｉ）と記した期間においては、光源制御部１１は、第３の光源装置を消灯し、第１及び第２の光源装置を点灯する。
【００４５】
このとき、光量検出器１５は、光源装置から射出された光を検出し、その強度に応じた信号を故障検出部１２に出力する。第２の光源装置の出力が通常（図９における２段目に示す破線）より下がっているので、図９の最下段に示すように、検出期間において、第２の光源装置が点灯している（ｉ）を記した期間及び（ｉｉｉ）を記した期間の光量検出器１５の出力は、（ｉｉ）を記した期間の出力よりも低い。故障検出部１２は、このような期間ごとの光量検出器１５の出力を比較することにより、この例では、第２の光源装置に異常があることを特定する。このようにして、故障検出部１２は、複数の光源装置のうち、何れの光源装置に故障があるかを特定することができる。
【００４６】
なお、光源装置を順に消灯せずとも、光源制御部１１により、特定の光源装置の出力を例えば通常の半分など、所定の割合に変化させても良い。その場合も、同様に、何れかの光源装置に故障がある場合、故障検出部１２は、故障している光源装置を特定することができる。
【００４７】
また、検出期間において、各光源装置の出力光量を、所定のパターンで変調することで、故障検出部１２が光量検出器１５の出力に基づいて光源装置ごとの光を分離できるようにし、故障検出部１２は故障した光源装置を特定するように構成してもよい。例えば、各光源装置の変調に用いるパターンを、それぞれ直交性を持たせることで、光量検出器１５の出力について、どの光源装置に由来する光であるかを把握することができる。
【００４８】
また、多くの光源装置のうち、１つずつ光量等を変化させるに限らず、最適秤量問題のアプローチをとることで、最短の検出期間で故障している光源装置を特定するように構成してもよい。すなわち、同時に複数の光源装置の光量を変化させ、それらの組み合わせに基づいて、異常がある光源装置を特定するように構成してもよい。例えば、全光源装置のうち半分ずつ消灯し、どちらの半分に異常がある光源装置が含まれているかを特定し、異常がある光源装置が含まれている半分の光源装置についてさらに同様のことを繰り返し、最終的に異常がある光源装置を１個に限定する等である。何れの光源装置の出力光量等を変化させるかは、予めそのパターンを用意しておき、図示しない記憶部などに備えおくことができる。この場合、光源制御部１１は、記憶部に備えられたパターンを読み出して光源装置の制御を行うことができる。このような方法は、多くの光源装置を備えた光源システム、例えば数十以上の光源装置を備えた光源システムの場合、特に有効である。
【００４９】
［第２の実施形態］
本発明の第２の実施形態について説明する。ここでは、第１の実施形態との相違点について説明し、同一の部分については、同一の符号を付してその説明を省略する。本実施形態では、分光センサを利用し光源装置から射出される光の波長の違いを利用して、何れの光源装置に異常があるかを特定する。
【００５０】
本実施形態に係る光源システムの構成を図１０を参照して説明する。本光源装置の第１の光源装置１３及び第２の光源装置１４は、互いに異なる波長の光を射出する。ここでは、第１の光源装置１３が射出する光の波長をλ１とし、第２の光源装置１４が射出する光の波長をλ２とする。本実施形態に係る光源システムは第１の実施形態における光量検出器１５の代わりに分光センサ３５を有している。
【００５１】
本実施形態において、光源制御部１１は、第１の実施形態と異なり第１の光源装置１３及び第２の光源装置１４を両方とも同時に点灯させる。分光センサ３５は、第１の光源装置１３が射出する波長λ１の光強度と、第２の光源装置１４が射出する波長λ２の光強度とを表す波長別強度信号を含む受光信号を故障検出部１２に出力する。
【００５２】
故障検出部１２は、分光センサ３５から入力した受光信号に基づいて、第１の光源装置１３及び第２の光源装置１４の異常の有無を判断する。例えば故障検出部１２は、第１の光源装置１３又は第２の光源装置１４の出力が低下したことを検知したとき、若しくは第１の光源装置１３又は第２の光源装置１４の出力が所定の範囲を超えたことを検知したとき、その光源装置に異常があると判断することができる。また、第１の光源装置１３が射出する光の光量と、第２の光源装置１４が射出する光の光量とを比較して、その大小又は差の大きさで故障を判別しても良い。
【００５３】
故障検出部１２は、第１の光源装置１３又は第２の光源装置１４に異常があることを検出したら、その旨を光源制御部１１に出力する。光源制御部１１は、異常がある光源装置を消灯する。光源制御部１１は、異常がある光源装置を消灯せずに、出力を安全なレベル、例えば発火しないレベル等に低下させるようにしてもよい。異常がない光源装置は、点灯を維持することができる。
【００５４】
例えば、図１１に示すように、第２の光源装置１４の出力が低下した場合を考える。このとき、分光センサ３５の出力に基づいて、すなわち、第１の光源装置１３が射出する波長λ１の光強度は変化せず、第２の光源装置１４が射出する波長λ２の光強度が低下していることを検知して、故障検出部１２は、第２の光源装置１４に異常があることを特定する。故障検出部１２は、第２の光源装置１４に異常がある旨を光源制御部１１に出力する。光源制御部１１は、故障検出部１２から入力した情報に基づいて、第２の光源装置１４の出力を停止する。
【００５５】
以上のように本実施形態によれば、２つ以上の光源装置を有する光源システムにおいて、異常の有無を検知する機構を大型化することなく、１つの分光センサによって、複数の光源装置のうち何れの光源装置が故障しているのかを特定することができる。したがって、一部の光源装置が故障した場合に、故障した光源装置のみを停止し、その他の光源装置を引き続き動作させることができる。その結果、故障がない光源装置によって、照明光の出力を維持することができる。また、第１の実施形態においては、各光源装置を期間毎に消灯等する必要があるが、本実施形態によれば、各光源装置を常時点灯した状態で、異常の検出を行うことができる。
【００５６】
なお、ここでは、光源装置が２個であり、射出する光の波長が２種類の場合を例に挙げて説明したが、光源装置が３個以上であり波長の種類は３種類以上であっても同様に構成することができる。また、本実施形態は第１の実施形態と組み合わせることも可能である。例えば、光源装置が４個であり、そのうち２個は、波長λ１の光を射出し、その他の２個は波長λ２の光を射出するものとする。この時、検出期間を設けて、その検出期間において、波長λ１の光を射出する光源装置の各々の故障の有無を特定するために、第１の実施形態のように、それぞれの光の射出のタイミングを異ならせるようにしてもよい。同様に検出期間において、波長λ２の光を射出する光源装置の各々の故障の有無を特定するために、それぞれの光の射出のタイミングを異ならせるようにしてもよい。
【００５７】
［第２の実施形態の第１の変形例］
第２の実施形態の第１の変形例について説明する。ここでは、第２の実施形態との相違点について説明する。本変形例に係る光源システムは、図１２に示すように、光源制御部１１と、故障検出部１２と、第１の励起光源３３と、第２の励起光源３４と、第１の光ファイバ３６と、第２の光ファイバ３７と、第１の蛍光体ユニット３８と、第２の蛍光体ユニット３９と、分光センサ３５と、警告器１６とを備える。
【００５８】
光源制御部１１は、第１の励起光源３３及び第２の励起光源３４の出力を制御する。第１の励起光源３３は、光源制御部１１の制御の下、波長λ１の励起光を射出する。第１の励起光源３３から射出された励起光は、第１の光ファイバ３６に入射する。第１の光ファイバ３６は、入射した励起光を第１の蛍光体ユニット３８に導く。第１の蛍光体ユニット３８では、第１の光ファイバ３６によって導かれた波長λ１の励起光の一部を波長変換し、波長λ３の蛍光を射出する。また、第１の光ファイバ３６によって導かれ、第１の蛍光体ユニット３８で波長変換されなかった励起光は、第１の蛍光体ユニット３８を透過して射出される。このように、第１の励起光源３３、第１の光ファイバ３６及び第１の蛍光体ユニット３８は、第１の光源装置５１を構成する。
【００５９】
同様に、第２の励起光源３４は、光源制御部１１の制御の下、波長λ２の励起光を射出する。第２の励起光源３４から射出された励起光は、第２の光ファイバ３７に入射する。第２の光ファイバ３７は、入射した励起光を第２の蛍光体ユニット３９に導く。第２の蛍光体ユニット３９では、第２の光ファイバ３７によって導かれた波長λ２の励起光の一部を波長変換し、波長λ４の蛍光を射出する。また、第２の光ファイバ３７によって導かれ、第２の蛍光体ユニット３９で波長変換されなかった励起光は、第２の蛍光体ユニット３９を透過して射出される。このように、第２の励起光源３４、第２の光ファイバ３７及び第２の蛍光体ユニット３９は、第２の光源装置５２を構成する。
【００６０】
分光センサ３５は、第１の蛍光体ユニット３８から射出した波長λ１の励起光及び波長λ３の蛍光と、第２の蛍光体ユニット３９から射出した波長λ２の励起光及び波長λ４の蛍光とを受光する。分光センサ３５は、波長λ１の励起光、波長λ２の励起光、波長λ３の蛍光及び波長λ４の蛍光のそれぞれについて、光強度を故障検出部１２に出力する。
【００６１】
故障検出部１２は、分光センサ３５からの入力に基づいて、第１の励起光源３３、第２の励起光源３４、第１の光ファイバ３６、第２の光ファイバ３７、第１の蛍光体ユニット３８、及び第２の蛍光体ユニット３９の何れかに故障があるか否かを特定する。  
例えば、波長λ１の光も波長λ３の光も検出されない場合、第１の励起光源３３又は第１の光ファイバ３６に異常があると考えられる。また、波長λ１の光は検出され、波長λ３の光が検出されない場合、第１の蛍光体ユニット３８に異常があると考えられる。また、波長λ２の光も波長λ４の光も検出されない場合、第２の励起光源３４又は第２の光ファイバ３７に異常があると考えられる。また、波長λ２の光は検出され、波長λ４の光が検出されない場合、第２の蛍光体ユニット３９に異常があると考えられる。
【００６２】
故障検出部１２は、第１の励起光源３３、第２の励起光源３４、第１の光ファイバ３６、第２の光ファイバ３７、第１の蛍光体ユニット３８、及び第２の蛍光体ユニット３９の何れかに故障があることを検出したら、その旨を光源制御部１１に出力する。光源制御部１１は、故障を検出した旨を故障検出部１２から入力したら、故障に係る第１の励起光源３３又は第２の励起光源３４を消灯する。光源制御部１１は、故障に係る第１の励起光源３３又は第２の励起光源３４の出力を低下させるようにしてもよい。
【００６３】
本変形例のような、励起光源と波長変換ユニットと用いた光源装置においても、第２の実施形態と同様に、１つの分光センサによって、複数の光源装置のうち何れの光源装置が故障しているのかを特定することができる。  
なお、ここでは、励起光源が２個であり射出する光の波長が２種類の場合を例に挙げて説明したが、励起光源が３個以上であり波長の種類は３種類以上でも同様である。
【００６４】
［第２の実施形態の第２の変形例］
第２の実施形態の第２の変形例について説明する。ここでは、第２の実施形態との相違点について説明する。光源システムを映像取得システムと併用する場合、映像取得システムのカラーイメージセンサにより取得した画像に基づいて、各波長の光量を検出してもよい。また、図１３に示すように、光源システムが独自にカラーイメージセンサ３１を備えてもよい。何れの場合も、本光源装置によって、被照射物９０に照射された光の反射光をカラーイメージセンサが捉えて、光源の異常の有無を特定する。
【００６５】
このような場合、故障検出部１２は、カラーイメージセンサ３１が撮影により取得した画像の情報を取得する。故障検出部１２は、この画像情報に基づいて、本光源システムに係る波長毎にその光強度を得る。この光強度に基づいて、前記した第２の実施形態の場合と同様に、本光源システムが備える各光源について、異常があるか否かを判定する。  
本変形例によっても第２の実施形態と同様に、複数の光源装置のうち何れの光源装置が故障しているのかを特定することができる。
【００６６】
［第３の実施形態］
第３の実施形態について説明する。ここでは、第１の実施形態との相違点について説明し、同一の部分については、同一の符号を付してその説明を省略する。本実施形態に係る光源システムの構成例を図１４に示す。この図に示すように光源システムは、光源制御部１１と、故障検出部１２と、第１の励起光源３３と、第２の励起光源３４と、第１の分岐カプラ４１と、第２の分岐カプラ４２と、第１の蛍光体ユニット３８と、第２の蛍光体ユニット３９と、第１の光ファイバ４３と、第２の光ファイバ４４と、第３の光ファイバ４５と、第４の光ファイバ４６と、第５の光ファイバ４７と、第６の光ファイバ４８と、波長フィルタ４９と、光量検出器１５と、警告器１６とを備える。
【００６７】
第１の分岐カプラ４１及び第２の分岐カプラ４２は、２×１型の分岐カプラである。第１の分岐カプラ４１の根元側ポートには、第１の光ファイバ４３と第３の光ファイバ４５とが接続されている。第１の光ファイバ４３の他端には、第１の励起光源３３が接続されている。第３の光ファイバ４５の他端には、波長フィルタ４９を介して光量検出器１５が接続されている。第１の分岐カプラ４１の先端側ポートには、第２の光ファイバ４４が接続されている。第２の光ファイバ４４の他端には、第１の蛍光体ユニット３８が接続されている。このようにして、第１の励起光源３３と、第１の分岐カプラ４１と、第１の蛍光体ユニット３８と、第１の光ファイバ４３と、第２の光ファイバ４４と、第３の光ファイバ４５とは、第１の光源装置６１を構成する。
【００６８】
第２の分岐カプラ４２の根元側ポートには、第４の光ファイバ４６と第６の光ファイバ４８とが接続されている。第４の光ファイバ４６の他端には、第２の励起光源３４が接続されている。第６の光ファイバ４８の他端には、波長フィルタ４９を介して光量検出器１５が接続されている。第２の分岐カプラ４２の先端側ポートには、第５の光ファイバ４７が接続されている。第５の光ファイバ４７の他端には、第２の蛍光体ユニット３９が接続されている。このようにして、第２の励起光源３４と、第２の分岐カプラ４２と、第２の蛍光体ユニット３９と、第４の光ファイバ４６と、第５の光ファイバ４７と、第６の光ファイバ４８とは、第２の光源装置６２を構成する。  
光源制御部１１は、第１の励起光源３３及び第２の励起光源３４の出力を制御する。
【００６９】
第１の光源装置６１における導光について説明する。第１の励起光源３３は、光源制御部１１の制御の下、波長λ１の励起光を射出する。第１の励起光源３３から射出された励起光は、第１の光ファイバ４３に入射する。第１の光ファイバ４３は、入射した励起光を第１の分岐カプラ４１に導く。第１の光ファイバ４３から第１の分岐カプラ４１に導かれた励起光は、ほぼ全て第２の光ファイバ４４に導かれる。第２の光ファイバ４４に入射した励起光は、第１の蛍光体ユニット３８に導かれる。第１の蛍光体ユニット３８では、第２の光ファイバ４４によって導かれた波長λ１の励起光の一部が、第１の蛍光体ユニット３８内の蛍光体で波長変換され、波長λ３の蛍光が第１の蛍光体ユニット３８の出射口から射出される。また、第２の光ファイバ４４によって導かれ、第１の蛍光体ユニット３８で波長変換されなかった励起光は、第１の蛍光体ユニット３８を透過して射出される。
【００７０】
第１の蛍光体ユニット３８で波長変換された蛍光の大部分は、第１の蛍光体ユニット３８の出射口から射出されるが、蛍光の一部は第２の光ファイバ４４に入射する。第２の光ファイバ４４に入射した蛍光は、第１の分岐カプラ４１に導かれる。第１の分岐カプラ４１において、蛍光は、理想的には第１の光ファイバ４３と第３の光ファイバ４５とにそれぞれ１／２ずつ入射する。第３の光ファイバ４５に入射した蛍光は、波長フィルタ４９に導かれる。
【００７１】
第２の励起光源３４は、光源制御部１１の制御の下、波長λ２の励起光を射出する。第１の励起光源３３から射出された励起光は、第４の光ファイバ４６に入射する。第４の光ファイバ４６は、入射した励起光を第２の分岐カプラ４２に導く。第４の光ファイバ４６から第２の分岐カプラ４２に導かれた励起光は、ほぼ全て第５の光ファイバ４７に導かれる。第５の光ファイバ４７に入射した励起光は、第２の蛍光体ユニット３９に導かれる。第２の蛍光体ユニット３９では、第５の光ファイバ４７によって導かれた波長λ２の励起光の一部が、第２の蛍光体ユニット３９内の蛍光体で波長変換され、波長λ４の蛍光が第２の蛍光体ユニット３９の出射口から射出される。また、第５の光ファイバ４７によって導かれ、第２の蛍光体ユニット３９で波長変換されなかった励起光は、第２の蛍光体ユニット３９を透過して射出される。
【００７２】
第２の蛍光体ユニット３９で波長変換された蛍光の大部分は、第２の蛍光体ユニット３９の出射口から射出されるが、蛍光の一部は第５の光ファイバ４７に入射する。第５の光ファイバ４７に入射した蛍光は、第２の分岐カプラ４２に導かれる。第２の分岐カプラ４２において、蛍光は、理想的には第４の光ファイバ４６と第６の光ファイバ４８とにそれぞれ１／２ずつ入射する。第６の光ファイバ４８に入射した蛍光は、波長フィルタ４９に導かれる。  
波長フィルタ４９には、波長λ３及び波長λ４の蛍光を透過するものが使用されている。したがって、第３の光ファイバ４５又は第６の光ファイバ４８によって導かれた蛍光は、光量検出器１５に入射する。
【００７３】
光源制御部１１は、第１の励起光源３３及び第２の励起光源３４の点灯、消灯を制御する。本実施形態では第１の実施形態と同様に、第１の励起光源３３及び第２の励起光源３４は、それぞれ単独で点灯する期間を持つように制御されている。それぞれの時間において光量検出器１５で検出した光量に基づいて、故障検出部１２は、第１の光源装置６１及び第２の光源装置６２の状態を検知する。すなわち、光源システムが正常に動作しているときは、光量検出器１５に入射する蛍光の光量は、所定の範囲に収まる。この所定の範囲は、正常動作時の光量検出器１５への入射光量に基づいて定められる。このように、所定の範囲に光量検出器１５に入射する蛍光の光量が収まっているとき、故障検出部１２は、本光源装置が正常に動作していると判断する。
【００７４】
また、故障検出部１２は、例えば第１の励起光源３３のみが点灯している期間において、光量検出器１５によって検出される光量が低下する場合、第１の励起光源３３が属する第１の光源装置６１が故障していると判断する。逆に、例えば第２の励起光源３４のみが点灯している期間において、光量検出器１５によって検出される光量が低下する場合、第２の励起光源３４が属する第２の光源装置６２が故障していると故障検出部１２は判断する。
【００７５】
例えば、蛍光体に亀裂が入ったり、蛍光体が第１の蛍光体ユニット３８から外れたりする等、第１の蛍光体ユニット３８に故障が発生したときは、蛍光体に照射される励起光が減少する。このため、蛍光体で波長変換された蛍光は減少し、第２の光ファイバ４４に再入射する蛍光も減少する。第２の光ファイバ４４に再入射した蛍光は、正常動作時と同様に第３の光ファイバ４５を経由して光量検出器１５に入射するので、このとき蛍光の光量は正常動作時の光量に比べて減少する。第２の蛍光体ユニット３９に故障が発生したときも同様である。
【００７６】
また、例えば第２の光ファイバ４４が断線したときは、第１の励起光源３３から第１の光ファイバ４３に入射し、第１の分岐カプラ４１を経由した励起光は、第２の光ファイバ４４の断線部で反射し、断線部よりも第１の蛍光体ユニット３８側に進行する励起光の光量は減少する。したがって第１の蛍光体ユニット３８に入射する励起光は減少する。そのため、蛍光体で発生する蛍光が減少し、蛍光体から第２の光ファイバ４４に再入射する蛍光は減少する。よって、光量検出器１５に入射する蛍光は減少する。第５の光ファイバ４７が断線したときも同様である。
【００７７】
また、第１の光ファイバ４３が断線したときは、第１の励起光源３３から第１の光ファイバ４３に入射した励起光は、第１の光ファイバ４３の断線部で反射・散乱し、第１の分岐カプラ４１へ入射する励起光は減少する。したがって、第１の蛍光体ユニット３８に入射する励起光が減少する。そのため、蛍光体で発生する蛍光が減少する。その結果、蛍光体から第２の光ファイバ４４に再入射する蛍光は減少し、光量検出器１５に入射する蛍光は減少する。第４の光ファイバ４６が断線した時も同様である。
【００７８】
また、第３の光ファイバ４５が断線したときは、正常動作時と同様に、第１の蛍光体ユニット３８で発生した蛍光の一部は、第２の光ファイバ４４に再入射し、第１の分岐カプラ４１で１／２の蛍光が第３の光ファイバ４５に入射する。この蛍光は、第３の光ファイバ４５の断線部で光量が減少するので、光量検出器１５に入射する蛍光の光量が減少する。第６の光ファイバ４８が断線した場合も同様である。  
以上に述べたように、本実施形態の光源システムを構成している各光ファイバの断線や、各蛍光体ユニットの故障が発生した場合は、光量検出器１５に入射する蛍光の光量は減少する。
【００７９】
故障検出部１２は、第１の光源装置６１又は第２の光源装置６２に故障が検出されたとき、その旨を光源制御部１１に出力する。  
第１の光源装置６１又は第２の光源装置６２に故障が検出された旨を入力した光源制御部１１は、故障した第１の光源装置６１及び第２の光源装置６２のうち、故障した方に属する第１の励起光源３３又は第２の励起光源３４を消灯する。完全に消灯せずとも、例えばレーザの漏れが人体に影響を与えないレベルなど、出力を安全なレベルまで低下させてもよい。第１の励起光源３３及び第２の励起光源３４のうち、故障が検出されなかった光源については、点灯を維持することができる。
【００８０】
以上のとおり、本実施形態によれば、本実施形態のような構成を有する光源システムにおいて、異常の有無を検知する機構を大型化することなく、光ファイバの断線や、波長変換部材の脱落、破損の発生を、１つの光量検出器１５で検出し、かつ、複数の光源装置のうちどれが故障したのかを特定することができる。その結果、故障に係る励起光源の出力を停止又は低減することができる。以上により、簡単な構成によって励起光が本光源装置から外部へ漏出する状態を防止でき高い安全性を確保することができるとともに、故障のない光源を維持することで、照明光の出力を維持することができる。
【００８１】
また、波長フィルタ４９として波長λ３および波長λ４の蛍光を透過するものを用いたが、波長λ１および波長λ２の励起光を透過するフィルタを用いてもよい。その場合、故障検出部１２は、例えば第１の励起光源３３のみが点灯している期間において、光量検出器１５によって検出される光量が増加または減少し所定の範囲を外れた場合、第１の励起光源３３が属する第１の光源装置６１が故障していると判断する。逆に、例えば第２の励起光源３４のみが点灯している期間において、光量検出器１５によって検出される光量が増加または減少し所定の範囲を外れた場合、第２の励起光源３４が属する第２の光源装置６２が故障していると故障検出部１２は判断する。  
また、光量検出器１５に入射する光を分岐カプラなどで分岐し、それぞれに異なる波長を透過する波長フィルタを設けて、蛍光と励起光の光量を検出する構成としてもよい。その場合、蛍光と励起光の情報を組み合わせることで、より確実に光源装置の故障を判断できる。
【００８２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。さらに、異なる実施形態にわたる構成要素を適宜組み合わせてもよい。
【００８３】
なお、本発明に係る光源システムは、以下の要旨を含んでいる。
［１］  互いに異なる識別因子を有する出力光を各々射出する複数の光源装置と、
前記出力光を受光し、該出力光に応じた受光信号を出力する光検出器と、
前記受光信号を取得し、該受光信号に含まれる前記識別因子に由来する成分と該受光信号とに基づいて、複数の前記光源装置の各々の故障の有無を特定する故障検出部と、
を具備することを特徴する光源システム。
［２］  前記出力光が入射するミラーをさらに具備し、
前記光検出器は、前記ミラーで導かれた前記出力光を受光する、
ことを特徴とする［１］に記載の光源システム。
［３］  前記光検出器は、前記出力光が照射された被照明物で反射された該出力光を受光することを特徴とする［１］に記載の光源システム。
［４］  前記光源装置は、前記出力光の光路を調整する光学部材を有しており、
前記光検出器は、前記光学部材で反射した前記出力光を受光する、
ことを特徴とする［１］に記載の光源システム。
［５］  前記光検出器は、映像取得装置であり、
前記受光信号は、前記映像取得装置が取得した映像信号である、
ことを特徴とする［１］に記載の光源システム。
［６］  前記光源装置はそれぞれ、
励起光を射出する励起光源と、
前記励起光源を導く光ファイバと、
前記光ファイバによって導かれた前記励起光を吸収し、波長変換して波長変換光を射出する波長変換部材と、
を有しており、
前記光源装置は、前記励起光と前記波長変換光とを前記出力光として射出する、
ことを特徴とする［１］に記載の光源システム。
［７］  前記波長変換部材から射出された前記波長変換光の一部を前記光検出器に導く検出用光ファイバをさらに具備することを特徴とする［６］に記載の光源システム。
［８］  前記光ファイバに挿入された分岐カプラと、
前記波長変換部材から射出された前記波長変換光の一部であって、前記光ファイバによって導かれ、前記分岐カプラで分岐された該波長変換光の一部を前記光検出器に導く検出用光ファイバと、
をさらに具備することを特徴とする［６］に記載の光源システム。
［９］  複数の前記光源装置から射出された前記波長変換光の一部は、前記検出用光ファイバによって全て一つの前記光検出器に導かれることを特徴とする［７］又は［８］に記載の光源システム。
［１０］  前記識別因子は、前記励起光及び／又は前記波長変換光の波長であり、
前記受光信号は、前記波長毎に前記出力光の強度を表す波長別強度信号を含み、
前記故障検出部は、前記受光信号に基づいて、前記波長別強度信号を前記成分として複数の前記光源装置の各々から射出された前記出力光の状態を導出し、複数の該光源装置の各々の故障の有無を特定する、
ことを特徴とする［６］乃至［９］のうち何れかに記載の光源システム。
［１１］  前記故障検出部が、複数の前記光源装置の何れかに故障があることを特定したら、
前記故障がある前記光源装置は、前記出力光の出力を停止又は低下させ、
前記故障がない前記光源装置は、前記出力光の射出を継続する、
ように各前記光源装置を制御する光源制御部をさらに具備する
ことを特徴とする［１］に記載の光源システム。
［１２］  前記光検出器は、光量検出器であることを特徴とする［１］に記載の光源システム。
［１３］  前記光検出器は、波長毎の光量を前記受光信号として出力する分光検出器であることを特徴とする［１］又は［１０］に記載の光源システム。
【符号の説明】
【００８４】
１１…光源制御部、１２…故障検出制御部、１３…第１の光源装置、１４…第２の光源装置、１５…光量検出器、１６…警告器、２１…保持部、２２…ミラー、２３…保持部材、２４…光学部材、３１…カラーイメージセンサ、３３…第１の励起光源、３４…第２の励起光源、３５…分光センサ、３６…第１の光ファイバ、３７…第２の光ファイバ、３８…第１の蛍光体ユニット、３９…第２の蛍光体ユニット、４１…第１の分岐カプラ、４２…第２の分岐カプラ、４３…第１の光ファイバ、４４…第２の光ファイバ、４５…第３の光ファイバ、４６…第４の光ファイバ、４７…第５の光ファイバ、４８…第６の光ファイバ、４９…波長フィルタ、５１…第１の光源装置、５２…第２の光源装置、６１…第１の光源装置、６２…第２の光源装置、９０…被照射物。
【図１】
0005757764.tif 000002
【図２】
0005757764.tif 000003
【図３】
0005757764.tif 000004
【図４】
0005757764.tif 000005
【図５】
0005757764.tif 000006
【図６】
0005757764.tif 000007
【図７】
0005757764.tif 000008
【図８】
0005757764.tif 000009
【図９】
0005757764.tif 000010
【図１０】
0005757764.tif 000011
【図１１】
0005757764.tif 000012
【図１２】
0005757764.tif 000013
【図１３】
0005757764.tif 000014
【図１４】
0005757764.tif 000015